(57)【要約】      （修正有）【課題】取付けが簡単でかつ取付け強度の高いルーバーの取付け構造を提供する。【解決手段】ルーバー１の基部面５を取付け部材２に当接させてルーバー１を取付ける構造において、前記基部面５の内側に中空部６を有し、当該中空部６に通じるボルト挿通用開口部がルーバー１の長手方向に沿って設けられ、当該ボルト挿通用開口部の両側の端縁に、中空部６に向けた突起縁８が夫々設けられ、当該各突起縁８と嵌合する嵌合溝９を両側に夫々有し、ボルト挿通用開口部の一部をまたぎ、取付け部材２に裏面が近接する座金１０が設けられ、当該座金１０の透孔１１に、座金１０の表面にボルト頭３ａを有するボルト３が挿通され、さらに、当該ボルト３は取付け部材２の透孔１２に通されて、取付け部材２の反対面から突出するボルト３端にナット４が螺着され、当該ナット４がボルト３に締め付けられている。【選択図】図１
0003221233.tif 000002
【実用新案登録請求の範囲】
【請求項１】
ルーバーの基部面を板状の取付け部材に当接させてルーバーを取付ける構造において、
前記基部面の内側に中空部を有し、当該中空部に通じるボルト挿通用開口部がルーバーの長手方向に沿って設けられ、当該ボルト挿通用開口部の両側の端縁に、前記中空部に向けた突起縁が夫々設けられ、
当該各突起縁と嵌合する嵌合溝を両側に夫々有し、前記ボルト挿通用開口部の一部を塞ぎ、前記取付け部材に一側面が近接する座金が設けられ、
当該座金に穿った透孔に、ルーバーの中空部側にボルト頭を有するボルトが挿通され、さらに、当該ボルトは前記取付け部材に穿った透孔に通されて、前記取付け部材の反対面から突出するボルト端にナットが螺着され、当該ナットが前記ボルトに締め付けられ、
前記座金には前記ボルトの回転を阻止するストッパーが設けられたことを特徴とする、ルーバーの取付け構造。
【請求項２】
前記ルーバーの基部面の内側の、前記突起縁により形成された内側凹部を形成する突起縁の中央部から当該ルーバーのボルト挿通用開口部の長手方向の中心軸までの距離が、前記ルーバーの基部面の内側の、前記内側凹部の外側一端から当該ルーバーのボルト挿通用開口部の前記中心軸までの距離の５０％以上であることを特徴とする、請求項１に記載のルーバーの取付け構造。
【請求項３】
前記突起縁の中央部から前記ボルト挿通用開口部側の基部面の一端までの長さが、前記ルーバーの基部面と前記内側凹部の内側面との間の長さの１．５倍以下としたことを特徴とする、請求項１又は２に記載のルーバーの取付け構造。
【請求項４】
前記ルーバーの基部面から前記突起縁の先端部までの長さは、前記ルーバーの基部面と前記内側凹部の内側面との間の長さの２倍〜４倍としたことを特徴とする、請求項１〜３のいずれかに記載のルーバーの取付け構造。
【請求項５】
前記突起縁はその両側面が、前記突起縁の先端部に向けた先細の傾斜縁を成し、当該傾斜縁の傾きは、前記突起縁の先端部を通る、前記基端面と平行な線から５５°〜８０°の範囲で傾いていることを特徴とする、請求項１〜４のいずれかに記載のルーバーの取付け構造。
【考案の詳細な説明】
【技術分野】
【０００１】
この考案は、高層ビルの屋上等の機器や設備を目隠しする等の目的で建物の外面に設置するルーバーの取付け構造に関するものである。
【背景技術】
【０００２】
当該ルーバーは一定の長さから成り、当該ルーバーの長手方向に間隔を開けた箇所のルーバー裏面の基部面を支柱等の支持部材に当ててボルト等で固定し、当該支持部材から突設させ、この様なルーバーを多数段に設けている場合が多い。
【０００３】
このルーバーの取付け方法は、図１２に示す様に、ルーバー３０の基部面３０ａに長手方向に伸びる溝状の受け部３０ｂが一体に形成され、この受け部３０ｂに取付けボルト３１の頭部が回転不能に嵌合されており、このボルト３１を板状の取付け部材３２に貫通させて、取付け部材２２の反対に突出したボルト３１端にナット３３を螺着して当該ナット３３を締め付けて固定している。特許文献１のルーバーも同様に取付けられている。
【先行技術文献】
【特許文献】
【０００４】
【特許文献１】公開実用新案公報（実開平７−１５８０７号）
【考案の開示】
【考案が解決しようとする課題】
【０００５】
前記図１２に示すルーバーの取付け構造では、溝状の受け部３０ｂにボルト３１の頭部を回転不能に嵌合させており、ルーバー３０はその受け部３０ａでボルト３１の頭部のみに嵌合しているため、ルーバー３０に外部から荷重がかかると、ボルト頭が受け部３０ｂから外れやすく、ルーバーの取付け強度が弱いものとなっている。また、高層ビルでのルーバーの使用においては、より強風に耐えるルーバーの構造が求められるようになった。当該ルーバーで一番応力度が高い部分は、取付け部材（支柱）との取付け部である。
【０００６】
そこで、この考案はこれらの点に着目し、取付けが簡単でかつ取付け強度の高いルーバーの取付け構造を提供することを目的としたものである。
【課題を解決するための手段】
【０００７】
請求項１の考案は、ルーバーの基部面を板状の取付け部材に当接させてルーバーを取付ける構造において、前記基部面の内側に中空部を有し、当該中空部に通じるボルト挿通用開口部がルーバーの長手方向に沿って設けられ、当該ボルト挿通用開口部の両側の端縁に、前記中空部に向けた突起縁が夫々設けられ、当該各突起縁と嵌合する嵌合溝を両側に夫々有し、前記ボルト挿通用開口部の一部を塞ぎ、前記取付け部材に一側面が近接する座金が設けられ、当該座金に穿った透孔に、ルーバーの中空部側にボルト頭を有するボルトが挿通され、さらに、当該ボルトは前記取付け部材に穿った透孔に通されて、前記取付け部材の反対面から突出するボルト端にナットが螺着され、当該ナットが前記ボルトに締め付けられ、前記座金には前記ボルトの回転を阻止するストッパーが設けられた、ルーバーの取付け構造とした。
【０００８】
また、請求項２の考案は、前記ルーバーの基部面の内側の、前記突起縁により形成された内側凹部を形成する突起縁の中央部から当該ルーバーのボルト挿通用開口部の長手方向の中心軸までの距離が、前記ルーバーの基部面の内側の、前記内側凹部の外側一端から当該ルーバーのボルト挿通用開口部の前記中心軸までの距離の５０％以上である、請求項１に記載のルーバーの取付け構造とした。
【０００９】
また、請求項３の考案は、前記突起縁の中央部から前記ボルト挿通用開口部側の基部面の一端までの長さが、前記ルーバーの基部面と前記内側凹部の内側面との間の長さの１．５倍以下とした、請求項１又は２に記載のルーバーの取付け構造とした。
【００１０】
また、請求項４の考案は、前記ルーバーの基部面から前記突起縁の先端部までの長さは、前記ルーバーの基部面と前記内側凹部の内側面との間の長さの２倍〜４倍とした、請求項１〜３のいずれかに記載のルーバーの取付け構造とした。
【００１１】
また、請求項５の考案は、前記突起縁はその両側面が、前記突起縁の先端部に向けた先細の傾斜縁を成し、当該傾斜縁の傾きは、前記突起縁の先端部を通る、前記基端面と平行な線から５５°〜８０°の範囲で傾いている、請求項１〜４のいずれかに記載のルーバーの取付け構造とした。
【考案の効果】
【００１２】
請求項１の考案によれば、座金の両側の嵌合溝が、ルーバーのボルト挿通用開口部の両側の突起縁に嵌合し、前記座金の一側面が取り付け部材に近接した状態でナットがボルトに締付けられているため、ルーバーは強固に取付け部材に固定される。
【００１３】
また、前記座金の、両側の嵌合溝と直角な方向の幅を、前記ボルト挿通用開口部の幅より小さくすれば、ボルトに座金を付けた状態で、座金を９０度回転させてボルト挿通用開口部から中空部に通し、座金を回して元に戻せば、両側の嵌合溝を、ボルト挿通用開口部の両側の突起縁に被せて取り溶けることが出来、取付けが容易である。
【００１４】
また、この請求項１の取付け構造をルーバーの長手方向に間隔を狭くして多数設けることにより、ルーバーをより強固に固定できる。
【００１５】
また、請求項２〜５の考案によれば、ルーバーはより確実に強風に十分耐えられる強度を備える。
【図面の簡単な説明】
【００１６】
【図１】この考案の実施の形態例１のルーバーの取付け構造を示す断面図である。
【図２】この考案の実施の形態例１のルーバーの取付け構造に使用するルーバーの側面図である。
【図３】この考案の実施の形態例１のルーバーの取付け構造に使用するルーバーの正面図である。
【図４】この考案の実施の形態例１のルーバーの取付け構造に使用するルーバーの背面図である。
【図５】この考案の実施の形態例１のルーバーの取付け構造に使用する座金の正面図である。
【図６】この考案の実施の形態例１のルーバーの取付け構造に使用する座金の背面図である。
【図７】この考案の実施の形態例１のルーバーの取付け構造に使用する座金の断面図である。
【図８】この考案の実施の形態例１のルーバーの取付け構造において強風等によるルーバー及び座金の動きを示す断面図である。
【図９】この考案の実施の形態例１のルーバーの取付け構造の寸法詳細を示す断面図である。
【図１０】この考案の実施の形態例１のルーバーの取付け構造の寸法詳細を示す要部拡大断面図である。
【図１１】この考案の実施の形態例１のルーバーの取付け構造のルーバーと座金の結合構造を示す要部拡大断面図である。
【図１２】ルーバーの取付け構造の従来例を示す断面図である。
【考案を実施するための形態】
【００１７】
（実施の形態例１）
この考案の実施の形態例１のルーバーの取付け構造を図に基づいて説明する。
【００１８】
ルーバー１はその基部面５を板状の取付け部材２に当接させて、ボルト３及びナット４によって固定されている。そして、ルーバー１の基部面５の内側には中空部６を有しており、当該中空部６に通じるボルト挿通用開口部７がルーバー１の長手方向に沿って、前記基部面５に設けられている。
【００１９】
また、当該ボルト挿通用開口部７の両側の端縁に、前記中空部６に向け、突起縁８が夫々設けられている。
【００２０】
また、当該各突起縁８と嵌合する嵌合溝９を裏面の上下両側に夫々有する座金１０が設けられ、当該座金１０の嵌合溝９を前記各突起縁８に嵌合させた際、当該座金１０が前記ボルト挿通用開口部７の一部を塞ぎ、座金１０の裏面が前記取付け部材２の一側面に近接するが、当接しない構造となっている。
【００２１】
また、この座金１０の表面中央部には裏面まで貫通する透孔１１が設けられ、ルーバーの中空部６側、即ち座金１０の表面側にボルト頭３ａを有する前記ボルト３が前記透孔１１に挿通され、さらに、前記取付け部材２に穿った透孔１２に通されて、前記取付け部材２の反対面から突出するボルト３端にナット４が螺着され、当該ナット４を前記ボルト３に締め付けている。
【００２２】
また、前記座金１０には、前記ボルト３が回転しないように、座金１０の左端から前記透孔１１を通り、右端まで切り溝１３が設けられ、前記ボルト３を透孔１１に通し、ボルト頭３ａを切り溝１３に嵌めると、ボルト３の回転が阻止される。
【００２３】
また、さらに、強風に耐えうるルーバーの取付け構造が求められている。強風等の風荷重がかかり、図８に示す様に、基部面５を有するＢ部が長いと、ルーバー１の上記上側の基部面５ａの上端（Ａ点）は取付け部材２から離れ、上記Ｂ部に曲げが発生する。そこで、Ｂ部を短くするため、ルーバー１本体と座金１０の結合部をルーバー１の基部面５の両端部に接近させる。
【００２４】
具体的には、図９に示す様に、前記ルーバー１の、前記基部面５の上側の基部面５ａの内側の、前記突起縁８により形成された内側凹部１４を形成する突起縁８の中央部から当該ルーバー１のボルト挿通用開口部７の長手方向の中心軸（図では中心軸と直角な方向の中心線Ｃで示す）までの距離Ｌ２が、前記ルーバー１の基部面５ａの内側の、前記内側凹部１４の外側一端１４ａから当該ルーバー１のボルト挿通用開口部７の中心線Ｃまでの距離Ｌ１の５０％以上、好ましくは６０％以上である構成とする。
【００２５】
また、図８で示した様に、ルーバー１の上記上側の基部面５ａの上端（Ａ点）は、強風等の色々な要因で取付け部材２から離れる。この離れによる回転で、当該取付け部材２に接している上記上側の基部面５ａの下端（Ｄ点）を支点として座金１０を引き剥がす力が働く。
【００２６】
そこで、図１０に示す様に、前記突起縁８の中央部から前記ボルト挿通用開口部７側の上側の基部面５ａの下端までの長さＬ３が、前記ルーバー１の基部面５と前記内側凹部１４の内側面との間の長さ（Ｂ部の厚さ）Ｌ４の１．５倍以下とした。
【００２７】
また、ルーバー１と座金１０との結合構造において、予想もしない強風でルーバー１が曲がったとしても、ルーバー１が座金１０から抜け出ないことが重要である。そのためには結合部（突起縁）の長さＬ５は長いほうが良い。長すぎても座金１０の形状のバランスが悪くなる。そこで、短かすぎず長すぎない長さＬ５を検討した。その結果、Ｌ５はＬ４の２倍〜４倍が最適であるとの結論に達した。また、突起縁８の先端部の断面形状は角張っても良いし、角だけ曲線でも良いし、すべて曲線の断面形状でも良い。
【００２８】
また、ルーバー１と座金１０との結合構造において、ルーバー１と座金１０とが隙間のない密着したものが良い。隙間があると、風による振動で隙間分だけルーバー１が外に移動しようとする。移動がわずかでもルーバー１の曲げ応力度の増加を生む。この増加は移動しない場合の約３０％だったケースもある。
【００２９】
また、図１１に示す様に、ルーバー１と座金１０の密着には前記突起縁８の断面形状は上に（又は先端に）行くほど細くなる形状が望ましい。突起縁８の両側面８ａが垂直に近い状態であると座金１０の嵌合溝９の両側面と密着することは難しい。従って、前記突起縁８の側面８ａ及び座金１０の嵌合溝９の側面の傾斜角度は図１１において、前記突起縁８の先端部を通る水平線Ｄから５５°〜８０°にすることが、ルーバー１と座金１０の密着に必要である。
【００３０】
上記実施の形態例１では、当該ルーバーの取付け構造において、種々の構成及び寸法に限定した例を示したが、この考案は、上記実施の形態例１の構造に限定させるものではない。また特に、この考案はルーバーの取付構造であって、ルーバー１自体の形状は任意であり、当該実施の形態例１に限定されるものではない。
【符号の説明】
【００３１】
１      ルーバー                  ２      取付け部材
３      ボルト                    ３ａ    ボルト頭
４      ナット                    ５      基部面
５ａ    上側の基部面              ６      中空部
７      ボルト挿通用開口部        ８      突起縁
８ａ    側面                      ９      嵌合溝
１０    座金                      １１    透孔
１２    透孔                      １３    切り溝
１３    切り溝                    １４    内側凹部
１４ａ  外側一端                  
【図１】
0003221233.tif 000003
【図２】
0003221233.tif 000004
【図３】
0003221233.tif 000005
【図４】
0003221233.tif 000006
【図５】
0003221233.tif 000007
【図６】
0003221233.tif 000008
【図７】
0003221233.tif 000009
【図８】
0003221233.tif 000010
【図９】
0003221233.tif 000011
【図１０】
0003221233.tif 000012
【図１１】
0003221233.tif 000013
【図１２】
0003221233.tif 000014